(57)【要約】【課題】メディア再生装置において、セットアップ時に設定した対象メディアが装入又は接続されていない場合であっても、設定のやり直しを必要とせずに他メディアが自動的に再生され、ユーザにとって使い勝手のよいものとする。【解決手段】対象メディアがＤＶＤに設定され、かつ装置本体にはＳＤカードは接続されているがＤＶＤが装入されていない場合、メディア再生装置は、再生キーが押されたと判定したとき（Ｓ１でＹＥＳ）、対象メディア（ＤＶＤ）が再生可能か否かを判定する（Ｓ２）。ＤＶＤが未装入であるので、Ｓ２とＳ３の両方において再生不可能と判定し（Ｓ２とＳ３でＮＯ）、続いてＳＤカードが再生可能か否かを判定する（Ｓ５）。ＳＤカードからデータが読み出しできる場合には（Ｓ５でＹＥＳ）対象メディアをＳＤカードに変更した上（Ｓ６）、読み出したデータをモニタ装置へ出力する（Ｓ１０）。【選択図】図２
2010212797.tif 000002
【特許請求の範囲】
【請求項１】
装置本体に装入又は接続されたメディア、及びネットワークを介して装置本体に接続された他のメディア再生装置が有するメディアの中から、再生するべき対象メディアをユーザが予め選択して設定するメディア設定部を備え、
再生時には前記メディア設定部によりユーザが設定した対象メディアを選択的に再生するメディア再生装置において、
ユーザが再生操作を行うための再生操作手段と、
ユーザが前記再生操作手段により再生操作を行ったときに前記メディア設定部によりユーザが設定した対象メディアが再生可能か否かを判定する判定手段と、
前記判定手段により対象メディアが再生不可能であると判定されたときに、前記複数のメディアのうちユーザが設定した対象メディア以外の各メディアが再生可能か否かを順に判定する他メディア判定手段と、
前記他メディア判定手段が再生可能であると判定したメディアを対象メディアに変更設定して再生する再生制御手段と、を備えることを特徴とするメディア再生装置。
【請求項２】
前記他メディア判定手段が前記複数のメディアの全てについて判定を行った結果、再生可能なメディアが無い場合には、再生が不可能である旨のメッセージを出力する警告表示手段をさらに備えることを特徴とする請求項１に記載のメディア再生装置。
【請求項３】
前記複数のメディアは、本体に装入されたＤＶＤ(Digital Versatile Disc)を含むことを特徴とする請求項１又は請求項２に記載のメディア再生装置。
【発明の詳細な説明】
【技術分野】
【０００１】
本発明は、メディア再生装置に関し、詳しくは１台の再生装置において光ディスク、メモリカード等の複数種類のメディアを装着でき、それらメディアを選択的に再生することができるメディア再生装置に関する。
【背景技術】
【０００２】
従来から、ＣＤ(Compact Disc)等の装入・排出式の光ディスクや、ＵＳＢ(Universal Serial Bus)メモリ、ＳＤ(Secure Digital)カード等の接続式の記録メディアを複数装着可能な再生装置が知られている（例えば、特許文献１参照）。
【０００３】
上記特許文献１に記載のメディア再生装置では、ユーザが各メディアに対応する再生キーを押下操作することによって、その再生キーに対応したメディアが再生されるようになっている。このことから、ユーザはメディアを簡単に切り替えて再生することができるが、操作部にメディアの種類に応じた複数個の再生キーを配置しなければならず、操作部のコンパクト化が妨げられると共に、コストアップになる。
【０００４】
一方、操作部に全てのメディアに共通の再生キーが備えられ、再生するべきメディアはユーザが事前のセットアップ時に設定するようになったメディア再生装置が知られている。このメディア再生装置について、図３を参照して説明する。本メディア再生装置１０１は、装置本体１０２にＤＶＤ(Digital Versatile Disc)１０３を装入できるＤＶＤドライブ１０４と、ＳＤカード１０５を接続できるカードスロット１０６とを備える。また、装置本体１０２にネットワーク１０７を介して他のメディア再生装置１０８（例えば、ＨＤＤレコーダ）が接続される。いずれかのメディアが再生されたときの画像及び音声は装置本体１０２に接続されたモニタ装置１０９に出力される。
【０００５】
また、操作用リモコン１１０は、メニューキー１１０ａと、カーソル移動キー１１０ｂと、再生キー１１０ｃとを有している。ユーザは、セットアップ時にメニューキー１１０ａを押下操作することによりモニタ装置１０９にメニュー画面１０９ａを表示させ、カーソル移動キー１１０ｂを操作することによって再生するべき対象メディアを選択することができるようになっている。この例では再生するべき対象メディアとしてＤＶＤが設定される。その後、ユーザが再生キー１１０ｃを押下操作するとＤＶＤドライブ１０４が動作して装入されているＤＶＤ１０３が再生される。同様にセットアップ時にＳＤカードが設定された場合には、再生キー１１０ｃを押下操作するとＳＤカード１０５に記録されたデータが再生され、ネットワーク機器が設定された場合には、ＨＤＤレコーダ１０８内のハードディスクに記録された映像等のデータが再生される。
【先行技術文献】
【特許文献】
【０００６】
【特許文献１】特開２００８−２０３７４２号公報
【発明の概要】
【発明が解決しようとする課題】
【０００７】
上記メディア再生装置１０１では、リモコン１１０のコンパクト化と装置のコストダウンが容易である上に、セットアップ時に一度対象メディアを設定すれば、その後は再生キー１１０ｃを操作するだけで常に一定のメディアが再生されることから、操作ミスを防止できるという長所はあるが、反面、次のような場合に便利さに欠けるものであった。
【０００８】
すなわち、ユーザは、例えば帰宅時に部屋の雰囲気を明るくするため等の目的でメディアの種類を意識せずに何らかのコンテンツを再生してモニタ装置１０９から画像及び音声を速やかに出力させたいという要求をもつ場合がある。ところが、このような場合に、上記メディア再生装置１０１では、設定されている対象メディア（例えば、ＤＶＤ）が装置本体１０２に装入されていなければ、他のメディア（例えば、ＳＤカード）が接続されていても設定された対象メディアではないので再生が実行されない。
【０００９】
この場合、ユーザは、再生が実行されないことからＤＶＤ１０３の未装入に気付き、他のメディアの接続状況を確認した上でメニュー画面１０９ａを呼び出して対象メディアを現在装置本体１０２に接続されているメディア（例えば、ＳＤカード１０５）へ変更設定しなければならない。ユーザにとって、このような他メディアの接続確認作業と変更設定操作は面倒であり、速やかな再生（画像及び音声の出力）が得られないという不便さを感じることとなっていた。
【００１０】
さらに、ユーザが目視により装置本体１０２に接続されていると判断したメディアであっても、そのメディア内に有効なデータが記録されていない場合があり、この場合には、設定変更後のメディアが再生されてもモニタ装置１０９に画像や音声が出力されず、ユーザは再度他メディアへの設定変更作業を行わなければならなくなる。
【００１１】
そこで、本発明は、上記課題を解決するものであり、ユーザが予め設定した対象メディアが装置本体に装入、又は接続されていない場合であっても、他メディアの接続確認や対象メディアの設定のやり直しを必要とせずに再生可能な他メディアが自動的に再生され、ユーザにとって使い勝手のよいメディア再生装置を提供することを目的とする。
【課題を解決するための手段】
【００１２】
上記課題を解決するために、請求項１の発明は、装置本体に装入又は接続されたメディア、及びネットワークを介して装置本体に接続された他のメディア再生装置が有するメディアの中から、再生するべき対象メディアをユーザが予め選択して設定するメディア設定部を備え、再生時には前記メディア設定部によりユーザが設定した対象メディアを選択的に再生するメディア再生装置において、ユーザが再生操作を行うための再生操作手段と、ユーザが前記再生操作手段により再生操作を行ったときに前記メディア設定部によりユーザが設定した対象メディアが再生可能か否かを判定する判定手段と、前記判定手段により対象メディアが再生不可能であると判定されたときに、前記複数のメディアのうちユーザが設定した対象メディア以外の各メディアが再生可能か否かを順に判定する他メディア判定手段と、前記他メディア判定手段が再生可能であると判定したメディアを対象メディアに変更設定して再生する再生制御手段と、を備えることを特徴とする。
【００１３】
請求項２の発明は、請求項１の発明において、前記他メディア判定手段が前記複数のメディアの全てについて判定を行った結果、再生可能なメディアが無い場合には、再生が不可能である旨のメッセージを出力する警告表示手段をさらに備えることを特徴とする。
【００１４】
請求項３の発明は、請求項１又は請求項２の発明において、前記複数のメディアは、本体に装入されたＤＶＤ(Digital Versatile Disc)を含むことを特徴とする。
【発明の効果】
【００１５】
請求項１の発明によれば、ユーザが再生操作を行ったときに、設定された対象メディアが再生不可能である場合には対象メディア以外のメディアが再生可能か否かを順に判定し再生可能なメディアが再生されるので、設定変更等の手間を要することなしにメディアが速やかに再生されユーザにとって使い勝手がよい。
【００１６】
請求項２の発明によれば、再生不可能である旨のメッセージが出力されるので、ユーザは再生が実行されないことの原因を理解して正しく対処することができる。
【００１７】
請求項３の発明によれば、メディアとしてＤＶＤを再生することができる。
【図面の簡単な説明】
【００１８】
【図１】本発明の一実施形態に係るメディア再生装置のブロック図。
【図２】同メディア再生装置における再生処理手順のフローチャート。
【図３】従来のメディア再生装置の概略構成を示す図。
【発明を実施するための形態】
【００１９】
以下、本発明の一実施形態に係るメディア再生装置について、図１と図２を参照して説明する。本実施形態のメディア再生装置１は、ＤＶＤプレーヤとして構成され、図１に示されるように、装置本体２に第１のメディアとしてのＤＶＤ３を装入できるＤＶＤドライブ４と、第２のメディアとしてのＳＤカード５を接続できるカードスロット６と、ネットワーク７を介してＨＤＤレコーダ８を接続できるＬＡＮ端子９と、を備える。ＨＤＤレコーダ８は、第３のメディアとしてのハードディスク８ａを有している。
【００２０】
第１乃至第３のいずれかのメディアが再生されたときの画像及び音声は、装置本体２に接続されたモニタ装置１１に出力される。ＨＤＤレコーダ８は、装置本体２に対して例えばＵＰＮP（Universal Plug and Play）方式により接続され、装置本体２からの制御信号により動作制御される。
【００２１】
また、装置本体２内には、装置本体２とＨＤＤレコーダ８の動作を制御するマイクロプロセッサ１２（メディア設定部、判定手段、他メディア判定手段、再生制御手段、警告表示手段）が備えられている。マイクロプロセッサ１２へは赤外線受光部１３を介して操作用リモコン１４（再生操作手段）からの操作信号１５が入力され、マイクロプロセッサ１２は操作信号１５に応じて各部を動作制御するようになっている。
【００２２】
例えば、マイクロプロセッサ１２は、リモコン１４からメニュー表示を指示する信号が入力されるとＲＯＭ１２ａに記憶されたメニュー画面を読み出し、インターフェースとしてのデータ出力部１６を介してモニタ装置１１へ出力する。メニュー画面１１ａには、カーソル１１ｂと、カーソル１１ｂの位置によってメディアが選択できるように「ＤＶＤ」「ＳＤカード」「ネットワーク機器」の文字が上下に配置される。
【００２３】
また、マイクロプロセッサ１２からの指令によりＤＶＤドライブ４が動作したときにはＤＶＤ３から再生された画像及び音声のデータがデータ出力部１６を介してモニタ装置１１へ出力される。ＳＤカード５からマイクロプロセッサ１２へ読み出されたデータはデータ出力部１６を介してモニタ装置１１へ出力される。ＨＤＤレコーダ８から受信したデータは、データ再生部１７によって画像及び音声のデータに変換されデータ出力部１６を介してモニタ装置１１へ出力される。
【００２４】
リモコン１４は、メニュー画面を表示するためのメニューキー１４ａと、画面上のカーソルを移動させるためのカーソル移動キー１４ｂと、各メディアに対して共通の再生キー１４ｃと、を有している。
【００２５】
次に、本メディア再生装置１の再生動作について、図２を参照して説明する。ここで、本メディア再生装置１は、セットアップ時にユーザにより各種設定が行われ、再生対象のメディアはＤＶＤに設定されているものとする。また、ＤＶＤ３はＤＶＤドライブ４に装入されておらず、ＳＤカード５は装置本体２に接続されており、ＨＤＤレコーダ８はネットワーク７を介してメディア再生装置１の装置本体２に接続されているものとする。
【００２６】
対象メディアの設定は、ユーザがリモコン１４のメニューキー１４ａを押下操作してモニタ装置１１にメニュー画面１１ａを表示させた上、カーソル移動キー１４ｂを操作してカーソル１１ｂを所望の位置に移動させることにより行われる。マイクロプロセッサ１２は、設定された対象メディアが何かという設定情報（本例では対象メディアがＤＶＤであるという設定情報）を記憶する。
【００２７】
上記のようにして対象メディアが設定された後、マイクロプロセッサ１２は、ユーザによる再生キー１４ｃの押下操作を確認したとき（Ｓ１でＹＥＳ）、対象メディアであるＤＶＤが再生可能か否かを判定する（Ｓ２）。
【００２８】
具体的には、マイクロプロセッサ１２は、ＤＶＤドライブ４に試行的な再生動作を実行させることにより有効なＲＦ信号が得られる場合には、ＤＶＤドライブ４にＤＶＤ３が装入されており、しかも再生可能であると判定する。有効なＲＦ信号が得られない場合には、ＤＶＤは再生可能ではないと判定する。
【００２９】
いま、ＤＶＤドライブ４にＤＶＤ３が装入されていない場合を想定しているので、マイクロプロセッサ１２は、Ｓ２でＮＯと判定し、続けてディスクの再生が可能か否かを判定するＳ３においてもＮＯと判定してＳ５の判定処理へ移行する。
【００３０】
マイクロプロセッサ１２は、ここでＳＤカード５が再生可能か否かを判定する。具体的には、マイクロプロセッサ１２は、ＳＤカード５から有効なデータが読み出しできる場合にはＳＤカード５が再生可能であると判定する（Ｓ５でＹＥＳ）。接続されたＳＤカード５が例えば未記録のものであって、有効なデータが読み出しできない場合にはＳＤカード５は再生可能ではないと判定する（Ｓ５でＮＯ）。
【００３１】
いま、ＳＤカード５が接続されている場合を想定しているので、マイクロプロセッサ１２は、有効なデータが読み出しできたときにＳＤカード５が再生可能であると判定し、記憶している対象メディア（の設定情報）をＤＶＤからＳＤカードへ変更した上で（Ｓ６）、ＳＤカード５から読み出した画像等のデータをモニタ装置１１へ出力する（Ｓ１０）。
【００３２】
以上のように、ユーザが再生操作をしたときに設定された対象メディア（ＤＶＤ）が装置本体２に装入されていない場合であっても、他のメディア（ＳＤカード）が再生可能であれば、メディア再生装置１自体が再生可能なメディアを探知して対象メディアの設定を変更の上当該メディアを再生するので、他メディアの接続状況の確認や設定変更等の手間を要することなしに速やかに再生が実行され、ユーザにとって使い勝手がよく便利である。
【００３３】
上記の例において、ＳＤカード５がカードスロット６に接続されていない場合には、マイクロプロセッサ１２は、Ｓ５においてＮＯと判定するので、続いてネットワーク上の機器（ＨＤＤレコーダ８）が再生可能か否かを判定する（Ｓ７）。ここで、ＨＤＤレコーダ８に再生可能なデータがあると判定された場合には（Ｓ７でＹＥＳ）、マイクロプロセッサ１２は、対象メディア（の設定情報）をＨＤＤレコーダ８へ変更した上で（Ｓ８）、ＨＤＤレコーダ８を再生動作させてハードディスク８ａに記録された画像等のデータをモニタ装置１１へ出力する（Ｓ１０）。この場合も、余計な手間を要せずに速やかに再生が実行されるのでユーザにとって便利である。
【００３４】
さらに、ＨＤＤレコーダ８も接続されていない場合には、マイクロプロセッサ１２は、Ｓ７においてＮＯと判定し、再生が不可能である旨の表示をモニタ装置１１へ出力する（Ｓ９）。具体的には、マイクロプロセッサ１２は、ＲＯＭ１２ａに記憶された「メディアが装入されていないか有効なデータが存在しないため再生ができません」等のメッセージを読み出し、モニタ装置１１へ画像として出力する。この場合は、ユーザがメディアの再生が行われない原因を正しく理解することができるので、ユーザはＤＶＤ３を装入する等の適正な措置を行うことができる。
【００３５】
また、セットアップ時に設定された対象メディアがＳＤカードであるにも拘わらず、装置本体２にＳＤカード５が接続されておらずＤＶＤ３が装入されている場合には、上記処理手順のＳ２からＳ４が次のようになる。
【００３６】
すなわち、マイクロプロセッサ１２は、Ｓ２において対象メディアであるＳＤカードが再生可能か否かを判定し、ＳＤカード５は未接続であるので再生ができないと判定し（Ｓ２でＮＯ）、続いてＤＶＤが再生可能か否かを判定し（Ｓ３）、ＤＶＤドライブ４に装入されたＤＶＤ３が再生可能であれば（Ｓ３でＹＥＳ）、対象メディア（の設定情報）をＤＶＤへ変更した上で（Ｓ４）、ＤＶＤドライブ４を再生動作させて再生したデータをモニタ装置１１へ出力する（Ｓ１０）。
【００３７】
なお、上記再生処理手順を実行させるプログラムは、マイクロプロセッサ１２のＲＯＭ１２ａ内に格納されている。
【００３８】
また、上記再生処理手順では、対象メディアが再生不可能であった場合に（Ｓ２でＮＯ）、マイクロプロセッサ１２がメディアの再生可能か否かを判定する順番は、ＤＶＤ、ＳＤカード、ネットワーク上の機器（ＨＤＤレコーダ）の順であったが、この順番は、上記順に限定されるものではない。例えば、マイクロプロセッサ１２はネットワーク上の機器、ＳＤカード、ＤＶＤの順にメディアが再生可能か否かを判定するようになっていてもよい。
【００３９】
さらに、マイクロプロセッサ１２が再生可能か否かを判定するメディアの順番は、ユーザがセットアップ時にリモコン１４を操作することにより任意に変更できるように構成してもよい。
【符号の説明】
【００４０】
１  メディア再生装置
２  装置本体
３  ＤＶＤ（メディア）
５  ＳＤカード（メディア）
７  ネットワーク
８  ＨＤＤレコーダ（他のメディア再生装置）
８ａ  ハードディスク（メディア）
１２  マイクロプロセッサ（メディア設定部、判定手段、他メディア判定手段、再生制御手段、警告表示手段）
１４  リモコン（再生操作手段）
【図１】
2010212797.tif 000003
【図２】
2010212797.tif 000004
【図３】
2010212797.tif 000005